(57)【要約】【課題】  エンジン回転数と車速との関係により設定される擬似的な変速段の走行状態において、電力収支の破綻を回避させることを目的とする。【解決手段】  エンジンとモータ・ジェネレータと蓄電装置とを備え、エンジンの回転数に制限回転数Ｎｅｍａｘ，Ｎｅｍｉｎを設定することで車速に対するエンジン回転数の比率が一定になるようにエンジン回転数を制御することができるハイブリッド車両の駆動制御装置において、蓄電装置の出力可能な電力量Ｗｏｕｔが減少する状態に応じてエンジンに係る回転数上限値Ｎｅｍａｘを高回転数側に変更させる制限回転数変更手段を備える。【選択図】  図４
2013103577.tif 000002
【特許請求の範囲】
【請求項１】
内燃機関と、蓄電装置の電力によって駆動されるモータとを動力源として備え、前記内燃機関の回転数に制限回転数を設定することで車速に対する前記内燃機関の回転数の比率が一定になるように前記内燃機関の回転数を制御することができるハイブリッド車両の駆動制御装置において、
前記比率が一定になるように前記内燃機関の回転数を制御している状態で、
前記ハイブリッド車両に対する駆動要求量を満たすべく前記蓄電装置が放電する際に、その蓄電装置で出力可能な電力量が減少する状態に応じて、前記制限回転数に係る回転数上限値を高回転数側に変更させる制限回転数変更手段を備えることを特徴とするハイブリッド車両の駆動制御装置。
【請求項２】
前記制限回転数変更手段は、前記電力量と予め定めた前記蓄電装置に係る制御下限値との差分が予め定めた差分閾値より小さい場合に、前記電力量が減少する状態に応じて、前記回転数上限値を高回転数側に変更させる
ことを特徴とする請求項１に記載のハイブリッド車両の駆動制御装置。
【請求項３】
前記制限回転数変更手段は、前記放電し始める際に、前記回転数上限値を高回転数側に変更させる
ことを特徴とする請求項１に記載のハイブリッド車両の駆動制御装置。
【請求項４】
前記制限回転数変更手段は、前記電力量が予め定めた前記蓄電装置に係る制御下限値よりも大きな値である電力量閾値より小さくなった場合に、前記電力量が減少する状態に応じて、前記回転数上限値を高回転数側に変更させる
ことを特徴とする請求項１に記載のハイブリッド車両の駆動制御装置。
【請求項５】
前記比率が一定になるように前記内燃機関の回転数を制御している状態が解除されるまでは、前記回転数上限値の変更状態を維持する手段を備えることを特徴とする請求項１から４のいずれかに記載のハイブリッド車両の駆動制御装置。
【発明の詳細な説明】
【技術分野】
【０００１】
この発明は、車速に対するエンジン回転数の比率である変速比を連続的に変化させることができ、かつその変速比を所定値に保持する擬似的な変速段を設定して走行するハイブリッド車両の駆動制御装置に関するものである。
【背景技術】
【０００２】
従来、エンジンと、プラネタリギヤにエンジンが接続されるとともにリングギヤに出力部材が連結され、さらにサンギヤに接続された第１モータと、その出力部材側に接続された第２モータとを備えたハイブリッド車両において、エンジンの回転数に対して異なるトルクを出力する二つの動作ラインを用いてエンジンを運転して走行するハイブリッド動力源が開発されている。
【０００３】
例えば、特許文献１には、車速変化量に対するエンジン回転数変化量の比を固定した複数の仮想目標シフト段、いわゆるシーケンシャルシフトポジションと、走行状態に応じて仮想目標シフト段と上下限値に基づいて緩変化する実行用シフト段とに基づいて、要求トルクやエンジンの運転ポイントを適正に設定する技術が開示されている。
【０００４】
また、特許文献２には、第２モータ・ジェネレータと駆動輪の間に設けられた有段変速機の変速時に、バッテリの入出力制限が制限される場合、エンジン要求パワーを変更することが記載されている。特許文献３には、シフトポジションの変化に応じて供給発電パワーが大きくなる場合、制限値に加えエンジンパワーを増大させることが記載されている。
【先行技術文献】
【特許文献】
【０００５】
【特許文献１】特開２００８−２４７０７３号公報
【特許文献２】特開２００６−１８２２７２号公報
【特許文献３】特開２０１１−１０５２５９号公報
【発明の概要】
【発明が解決しようとする課題】
【０００６】
２モータタイプのハイブリッド車両では、加速時の車速変化とエンジン回転変化との乖離があるため、運転者の感じる加速感を損なわせるという課題があった。上記特許文献１に記載の技術は、エンジン回転数と車速の上昇比を固定し、擬似的に有段変速のような動作を可能とするようにエンジン回転数を制御するものであり、運転者の感じる加速感を改善するものであった。
【０００７】
しかしながら、変速比固定制御を行った場合、運転者の要求するトルクに対して、エンジンが出力できる動力が制限されるので、運転者の要求トルクひいては要求パワーを実現するためには、要求駆動力に対するエンジン出力の不足分をバッテリから出力される放電電力によるモータトルクによって補うことになる。その際、バッテリに蓄積された電力が消費され、バッテリの充電状態を示すＳＯＣ（Ｓｔａｔｅ  Ｏｆ  Ｃｈａｒｇｅ）を低下させる。したがって、要求パワーを満たすための不足分をモータ出力で補うため、電力収支がマイナスに作用し続け電力収支を破綻させる虞があり、改良の余地があった。
【０００８】
そこで、この発明は、上記の技術的課題に着目してなされたものであって、車速とエンジン回転数との比率である変速比を保持することによる擬似的な変速段が設定される場合において、電力収支の破綻を回避するとともに運転者が要求するパワーを実現するハイブリッド車両の駆動制御装置を提供することを目的とするものである。
【課題を解決するための手段】
【０００９】
上記目的を達成するために、請求項１に係る発明は、内燃機関と、蓄電装置の電力によって駆動されるモータとを動力源として備え、前記内燃機関の回転数に制限回転数を設定することで車速に対する前記内燃機関の回転数の比率が一定になるように前記内燃機関の回転数を制御することができるハイブリッド車両の駆動制御装置において、前記比率が一定になるように前記内燃機関の回転数を制御している状態で、前記ハイブリッド車両に対する駆動要求量を満たすべく前記蓄電装置が放電する際に、その蓄電装置で出力可能な電力量が減少する状態に応じて、前記制限回転数に係る回転数上限値を高回転数側に変更させる制限回転数変更手段を備えることを特徴とするものである。
【００１０】
請求項２に係る発明は、請求項１の発明において、前記制限回転数変更手段は、前記電力量と予め定めた前記蓄電装置に係る制御下限値との差分が予め定めた差分閾値より小さい場合に、前記電力量が減少する状態に応じて、前記回転数上限値を高回転数側に変更させることを特徴とするハイブリッド車両の駆動制御装置である。
【００１１】
請求項３に係る発明は、請求項１の発明において、前記制限回転数変更手段は、前記放電し始める際に、前記回転数上限値を高回転数側に変更させることを特徴とするハイブリッド車両の駆動制御装置である。
【００１２】
請求項４に係る発明は、請求項１の発明において、前記制限回転数変更手段は、前記電力量が予め定めた前記蓄電装置に係る制御下限値よりも大きな値である電力量閾値より小さくなった場合に、前記電力量が減少する状態に応じて、前記回転数上限値を高回転数側に変更させることを特徴とするハイブリッド車両の駆動制御装置である。
【００１３】
請求項５に係る発明は、請求項１から４のいずれかの発明において、前記比率が一定になるように前記内燃機関の回転数を制御している状態が解除されるまでは、前記回転数上限値の変更状態を維持する手段を備えることを特徴とするハイブリッド車両の駆動制御装置である。
【発明の効果】
【００１４】
請求項１の発明によれば、内燃機関の回転数上限値を高回転数側に変更させることにより、蓄電装置からの放電電力を低減できる。また、動力を発電にまわせるような内燃機関の回転数を可能とする制限回転数に変更された場合には、その放電電力をゼロにできかつ充電できるので電力収支の破綻を回避できる。したがって、内燃機関の回転数が制限されている場合であっても、電力収支の破綻を回避しつつ運転者が要求するパワーを満たす動力を出力することを可能にする。さらに、蓄電装置の出力可能電力量の減少する状態に応じて、内燃機関の回転数上限値を高回転数側に徐々に変更させることができ、急激な内燃機関の回転数の変更を防止することができる。
【００１５】
請求項２の発明によれば、請求項１の効果に加え、蓄電装置の電力量が減少し始めるとともに、その電力量の減少する状態に応じて徐々に高回転数側に変更させるので、内燃機関の回転数変化により運転者へ与える違和感を低減できる。また、その電力量が減少する状態は、回転数上限値の変更前に比べて緩やかであり、急激な電力量の消費を防止させることができる。
【００１６】
請求項３または４の発明によれば、請求項１の効果に加え、蓄電装置の出力可能な電力量がある程度減少するまでは、制限回転数の変更が行われないので、内燃機関の回転数変化による違和感を運転者に与えることが防止できる。また、蓄電装置の出力可能な電力量が制御下限値にある程度近づいた際に回転数上限値を高回転数側に変更させるので、急激な内燃機関の回転数変化を防止できる。さらに、その電力量が蓄電装置に係る制御下限値より小さくなる前に回転数上限値を高回転数側に変更させるので、電力量が急激に制御下限値へ向かうことを防止できる。蓄電装置の電力量が制御下限値に達した際に、仮に、回転数上限値を高回転数側に変更させるような場合においては、急激な内燃機関の回転数変化を防止することもできる。
【００１７】
請求項５の発明によれば、車速に対する前記内燃機関の回転数の比率である変速比を保持することにより擬似的かつ有段的にその変速比を変化させる制御状態が維持されている間は、内燃機関に係る回転数上限値が変更された場合にこの変更制御状態を維持できるので、車両の状態に応じて何度もその回転数上限値の変更が行われることを防止できる。これにより、内燃機関の回転数変化により運転者が感じる違和感を軽減させることができる。
【図面の簡単な説明】
【００１８】
【図１】この発明に係る車両における駆動系統の一例であるハイブリッド駆動機構を模式的に示した図である。
【図２】蓄電装置の充電状態が制御下限値に達した際のエンジンの制限回転数の変更処理フローを示した図である。
【図３】蓄電装置の充電状態が制御下限値に達した際の車両の車速とエンジン回転数と蓄電装置の出力可能電力量との関係を示し、エンジンの制限回転数の変更処理前後の状態を示した図である。
【図４】蓄電装置の充電状態が制御下限値に達する前のエンジンの制限回転数の変更処理フローを示した図である。
【図５】蓄電装置の充電状態が制御下限値に達する前の車両の車速とエンジン回転数と蓄電装置の出力可能電力量との関係を示し、エンジンの制限回転数の変更処理前後の状態を示した図である。
【図６】２モータタイプのハイブリッド車両における動力分割機構についての共線図である。
【図７】エンジン回転数とエンジントルクとエンジンパワーとの関係を示したエンジン運転点設定用マップを示した図である。
【発明を実施するための形態】
【００１９】
以下、この発明における実施形態について説明する。この発明で対象とするハイブリッド車両は、内燃機関と二つの発電電動機とを駆動力源とする車両である。まず、その車両における駆動系統の構成について図１を参照して説明する。図１は、その車両における駆動系統の一例であって、ハイブリッド駆動機構を模式的に示した図である。車両２０は、いわゆる２モータタイプのハイブリッド車両であって、エンジン（Ｅ／Ｇ）１と第１モータ・ジェネレータ（ＭＧ１）２と第２モータ・ジェネレータ（ＭＧ２）３とが、動力分割機構４を介してそれぞれに連結されている。すなわち、このエンジン１と第１モータ・ジェネレータ２とは、第１モータ・ジェネレータ２によってエンジン１の回転数を制御するように構成されている。
【００２０】
エンジン１は、ガソリンエンジンやディーゼルエンジン、水素ガスエンジン、天然ガスエンジンなどのいずれかであって、特に回転数や出力トルクに応じて燃料消費量もしくは燃料消費率が変化する内燃機関である。したがって、エンジン１は、燃費を重視した運転を行う場合には、エンジン回転数ＮｅおよびエンジントルクＴｅが個別に制御される内燃機関である。この実施形態ではガソリンエンジンをエンジン１とし、エンジントルクＴｅは、吸気量によって制御され、具体的には電子スロットルバルブ１２によって制御される。なお、ディーゼルエンジンの場合には燃料噴射量によってエンジントルクＴｅが制御される。
【００２１】
動力分割機構４は、複数の回転要素が差動作用をなす遊星歯車機構によって構成されている。図１に例示する動力分割機構４は、三つの回転要素を含むシングルピニオン型遊星歯車機構である。具体的には、この動力分割機構４における反力要素であるサンギヤ４Ｓに第１モータ・ジェネレータ２が連結され、そのサンギヤ４Ｓと同心円上に配置されている内歯歯車であるリングギヤ４Ｒが出力要素となっている。そのリングギヤ４Ｒに第２モータ・ジェネレータ３が連結されている。そして、これらサンギヤ４Ｓとリングギヤ４Ｒとに噛み合っているピニオンギヤを自転かつ公転自在に保持しているキャリヤ４Ｃが入力要素となっており、そのキャリヤ４Ｃにエンジン１が連結されている。
【００２２】
また、動力分割機構４の出力要素となっているリングギヤ４Ｒは、出力軸５を介してデファレンシャル６に連結され、そのデファレンシャル６から左右の駆動輪７に動力を伝達するように構成されている。その出力軸５には、駆動トルクを付加し力行作用を行い、またエネルギ回生を行うための第２モータ・ジェネレータ４が連結されている。なお、リングギヤ４Ｒと出力軸５との間、あるいは第２モータ・ジェネレータ３と出力軸５との間に減速機や変速機を配置することもできる。
【００２３】
ここで、エンジン１と第１モータ・ジェネレータ２と第２モータ・ジェネレータ３とに連結された動力分割機構４についての共線図について説明する。図６は、シングルピニオン型遊星歯車機構により構成された動力分割機構４についての共線図である。サンギヤ４Ｓに連結された第１モータ・ジェネレータ２を示す線とリングギヤ４Ｒに連結された第２モータ・ジェネレータ４を示す線との間にキャリヤ４Ｃに連結されたエンジン１を示す線が位置する。また、サンギヤ４Ｓを示す線とキャリヤ４Ｃを示す線との間隔を「１」とした場合、キャリヤ４Ｃに連結されたエンジン１を示す線とリングギヤ４Ｒに連結された第２モータ・ジェネレータ３を示す線との間隔がギヤ比ρに相当する間隔となっている。なお、ギヤ比ρは、動力分割機構４を構成している遊星歯車機構におけるサンギヤ４Ｓの歯数Ｚｓとリングギヤ４Ｒの歯数Ｚｒとの比（Ｚｓ／Ｚｒ）である。これら各回転要素および連結された構成を示す線上における基線からの距離が、それぞれの回転要素の回転数すなわち各構成の回転数を示し、各回転要素および各構成の回転数を示す点を結んだ線は直線となる。また、図６に例示する矢印の示す方向は、各回転要素のトルクの方向を示すものである。
【００２４】
例えば、エンジン１が動力を出力して走行している状態では、図６に示すように、リングギヤ４Ｒに走行抵抗などのいわゆる負のトルクが作用し、また入力要素であるキャリヤ４Ｃにはエンジン１が出力したトルクＴｅ、すなわち正方向のトルクが作用している。この状態でサンギヤ４Ｓに負方向のトルク、いわゆるサンギヤ４Ｓの回転数を減じる方向のトルクを作用させると、リングギヤ４ＲにはエンジントルクＴｅを増幅した正方向のトルクが作用し、これが走行抵抗などの負方向のトルクに打ち勝つことにより車両２０が走行する。そのサンギヤ４Ｓに作用させる負方向のトルクは、これに連結されている第１モータ・ジェネレータ２を発電機として機能させることにより発生させることができる。この第１モータ・ジェネレータ２を発電機として機能させる場合、図６から明らかなように、第１モータ・ジェネレータ２の回転数Ｎｍ１を低下させればエンジン回転数Ｎｅが低下する。一方、第１モータ・ジェネレータ２の回転数Ｎｍ１を上昇させればエンジン回転数Ｎｅが上昇する。
【００２５】
したがって、この動力分割機構４を介して連結されたエンジン１と第１モータ・ジェネレータ２において、エンジン１の回転数Ｎｅは、第１モータ・ジェネレータ２によって制御される。言い換えれば、動力分割機構４が差動作用をなすことにより、発電機能を有する電動機である第１モータ・ジェネレータ２の回転数Ｎｍ１に応じてエンジン１の回転数Ｎｅを変化させることができる。
【００２６】
第１モータ・ジェネレータ２と第２モータ・ジェネレータ３とは、いずれも、モータと発電機のいずれか一方もしくは両方の機能を有するものである。この第１モータ・ジェネレータ２は、エンジン回転数Ｎｅの制御のために発電機として機能するとともに、例えばエンジン１のモータリング（クランキング）のために電動機として機能させることも可能である。これらの機能もしくは動作の制御のために、第１モータ・ジェネレータ２はインバータ８を介してバッテリもしくはキャパシタなどの蓄電装置１０に接続されている。また、第２モータ・ジェネレータ３は、出力軸５に付加するトルクを制御し、すなわち力行制御の際にモータとして機能し、またはエネルギ回生の際には発電機として機能する。これらの機能もしくは動作の制御のために、第２モータ・ジェネレータ３はインバータ９を介して蓄電装置１０に接続されている。さらに、モータ・ジェネレータ２，３の間で電力を相互に授受できるようになっている。また、これら第１モータ・ジェネレータ２と第２モータ・ジェネレータ３はいずれも、ハイブリッドコントローラ１１によりインバータ８，９を介して駆動制御される。
【００２７】
この車両２では、第１モータ・ジェネレータ２によってエンジン１の回転数Ｎｅを制御するとともに、この第１モータ・ジェネレータ２が発電した電力を使用して、第２モータ・ジェネレータ３をモータとして機能させることにより、出力軸５に駆動トルク付加するように構成されている。また、この第２モータ・ジェネレータ３でエネルギ回生を行うこともできる。例えば、車両２０が惰性走行もしくは減速している場合、エンジン１に対する燃料の供給および点火を停止させ、この状態で第２モータ・ジェネレータ３を出力軸５から伝達されるトルクで駆動させて発電機として機能させる。この結果、第２モータ・ジェネレータ３は発電に要するトルクを出力軸５に対して、その回転を止める方向の負のトルク（制動トルク）として作用させて制動力を生じさせる。
【００２８】
蓄電装置１０は、電力を充放電する二次電池などであり、第１モータ・ジェネレータ２と第２モータ・ジェネレータ３のいずれかにより生じた電力を充電し、もしくは不足する出力に応じた電力を放電する。この蓄電装置１０は、ハイブリッドコントローラ１１により充電率や出力可能電力量などが管理される。蓄電装置１０が二次電池である場合、過充電や過放電により電池が劣化することを防止するため、ハイブリッドコントローラ１１の制御により蓄電装置１０の使用状況や温度などに応じて、適正な中間領域における蓄電状態に維持される。なお、中間領域とは、温度条件や健全度などによって変化するものであって、例えば蓄電装置１０で許容できる電力量の制限値（電力量上限値）と、蓄電装置１０から放電できる電力量の制限値（電力量下限値）との間における幅である。
【００２９】
また、第２モータ・ジェネレータ３で発電された電力は蓄電装置１０に供給されて、第２モータ・ジェネレータ３を駆動させる電力は蓄電装置１０から供給される。このため、蓄電装置１０がいわゆる満充電もしくはこれに近い状態になっていれば、第２モータ・ジェネレータ３で発電した電力は蓄電装置１０に供給されず、また蓄電装置１０の保有電力量Ｗｏｕｔが低下していれば、第２モータ・ジェネレータ３に電力は供給されなくなる。なお、第２モータ・ジェネレータ３で発電した電量は、インバータ９，８を介して第１モータ・ジェネレータ２へ供給されモータとして機能させる電力として消費されてもよい。
【００３０】
ハイブリッドコントローラ１１は、エンジン１の出力トルクＴｅの制御すなわち電子スロットルバルブ１２の開度の制御や、各インバータ８，９を介した各モータ・ジェネレータ２，３の駆動制御などを行う。このハイブリッドコントローラ１１は、ＣＰＵ（Ｃｅｎｔｒａｌ  Ｐｒｏｃｅｓｓｉｎｇ  Ｕｎｉｔ）を中心とするいわゆるマイクロコンピュータを主体として構成された電子制御装置であって、各種処理プログラムを記憶するＲＯＭ（Ｒｅａｄ  Ｏｎｌｙ  Ｍｅｍｏｒｙ）や、各種データを一時的に記憶するＲＡＭ（Ｒａｎｄｏｍ  Ａｃｃｅｓｓ  Ｍｅｍｏｒｙ）や、データの送受信を可能にさせるインターフェイスなどを備えている。したがって、ハイブリッドコントローラ１１は、入力されたデータおよび予め記憶部に記憶されたデータに基づいてプログラムを使用して演算処理を実行し、電子スロットルバルブ１２や各インバータ８，９に指令信号を出力するように構成されている。また、ハイブリッドコントローラ１１には、車速Ｖを示す車速検出信号や、車輪速センサ１３によって検出した車輪速信号や、アクセルペダル１４の踏み込み量を検出するアクセル開度センサ１５からのアクセル開度信号などがデータとして入力される。
【００３１】
このハイブリッドコントローラ１１は、いわゆるモータ用電子制御装置やバッテリ用電子制御装置として作動するものである。例えば、モータ用電子制御装置として作動する場合、第１モータ・ジェネレータ２と第２モータ・ジェネレータ３とを駆動制御するための各種検出信号が入力され、各インバータ８，９へのスイッチング制御信号などが出力される。具体的には、第１モータ・ジェネレータ２と第２モータ・ジェネレータ３との回転子の回転位置を検出する図示しない回転位置検出センサからの検出値を示す入力信号に基づいて、第１モータ・ジェネレータ２の回転数Ｎｍ１と、第２モータ・ジェネレータ３の回転数Ｎｍ２とを算出する。この算出した回転数Ｎｍ１，Ｎｍ２に基づいて、目標回転数Ｎｍ１＊，Ｎｍ２＊となるように各モータ・ジェネレータ２，３を制御する。
【００３２】
また、バッテリ用電子制御装置として作動する場合、蓄電装置１０を管理するための各種検出信号が図示しない各種センサからハイブリッドコントローラ１１に入力される。例えば、端子間電圧や充放電電流や蓄電装置１０の温度などのデータが入力される。この場合、ハイブリッドコントローラ１１は、図示しない電流センサから入力された充放電電流の積算値に基づいて、蓄電の装置１０から出力可能な電力量Ｗｏｕｔを算出する。この出力可能電力量Ｗｏｕｔに基づき蓄電装置１０の充放電を管理する。例えば、出力可能電力量Ｗｏｕｔが電力量上限値の付近の場合、すなわち蓄電装置１０が満充電もしくはそれに近い状態の場合、モータ・ジェネレータ２，３で発電した電力は蓄電装置１０に充電されない。また、出力可能電力量Ｗｏｕｔが電力量下限値よりも低下した場合、モータ・ジェネレータ２，３に蓄電装置１０からの電力は供給されない。なお、電力下限値はゼロ以上の値であってもよい。すなわち、蓄電装置２０の完全放電を示す充電率０％の状態を電力量下限値と設定した場合に電力量下限値はゼロであり、その充電率が０％よりも大きい状態を電力量下限値と設定した場合に電力量下限値はゼロよりも大きい値である。
【００３３】
また、このハイブリッドコントローラ１１は、運転者によるアクセルペダル１４の踏み込み量を検出するアクセルペダルセンサ１５からの検出値に対応するアクセル開度Ａｃｃと、その際の車両２０の速度である車速Ｖとに基づいて駆動輪７，７に連結された出力軸５に出力すべき運転者要求駆動力を算出する。したがって、この車両２０の動作として、運転者要求トルク駆動力に対応する動力、すなわち運転者要求パワー（駆動要求量）Ｐｒｅｑが出力軸５に伝達され出力されるように、エンジン１と第１モータ・ジェネレータ２と第２モータ・ジェネレータ３とを駆動制御をする。
【００３４】
さらに、燃費の効率性が高いエンジン１の運転点すなわちエンジントルクＴｅとエンジン回転数Ｎｅとによって、エンジン１が駆動するように制御される。例えば、等燃費率線と等出力線との関係から、同一出力を得る際に燃費率が最良となる運転条件が決定される運転点設定用マップなどを参照して運転点が設定される。その運転条件を満たす動作ライン上、いわゆる最適燃費線Ｃｆ上もしくは高効率燃費性の領域内を、運転点が動作するようにエンジン１を駆動制御する。
【００３５】
上述した車両２０を対象とするこの発明に係る駆動制御装置は、エンジン回転数Ｎｅと車速Ｖとの関係に基づいた擬似的な有段変速制御を行い、蓄電装置１０から出力可能な電力量Ｗｏｕｔに応じてエンジン１の回転数の制限値（制限回転数）を変更もしくは一部解除し、すなわち蓄電装置１０の電力を緩やかに消費させるように制限回転数の一部を変更することもしくは蓄電装置１０の電力を消費する必要がないように制限回転数の一部を解除することにより、電力収支の破綻を回避するように制御するものである。これは、蓄電装置１０から出力可能な電力を維持するために、エンジン１の運転点（動作点）のうち主にエンジン回転数Ｎｅを制御して、電力収支の破綻を回避させるためである。
【００３６】
また、この発明に係る実施形態の説明において、擬似とは、機械要素に対する制御上のことを表現するものである。例えば、擬似的な変速段とは、変速機など機械要素によって設定される変速比に対して、制御上で設定されかつ固定される変速比を擬似的と表現するものである。より具体的には、この擬似変速段は、車速に対するエンジン回転数の比率を変速比（擬似変速比）として、その比率が所定値に制御上で固定されるものである。また、擬似的な有段変速制御とは、擬似的に有段的な変速をさせる制御であって、複数の所定値に固定された複数の擬似変速段を使用した有段変速を制御することである。
【００３７】
さらに、この発明に係る駆動制御装置は、擬似的な有段変速制御における走行中、車両全体における変速比が現在設定されている擬似変速段に係る擬似変速比となるようにエンジン１の回転数Ｎｅを制御するとともに、車速に対するエンジン回転数の比率を一定に制御するものである。例えば、動力分割機構４に連結されたエンジン１と第１モータ・ジェネレータ２と第２モータ・ジェネレータ３とを含む機構を第１の減速機もしくは変速機（第１減速機）とみなし、上述したリングギヤ４Ｒと出力軸５との間あるいは第２モータ・ジェネレータ３と出力軸５との間に第２の減速機もしくは変速機（第２減速機）を配置することもできる。その場合、この実施形態における擬似変速比は、それら第１，２の減速機もしくは変速機毎の変速比を示すものではなく、車両全体の駆動系統による変速比である。例えば、所定の擬似変速比に固定されている制御下では、出力軸５の回転数が一定のときエンジン１の回転数Ｎｅが上昇し第１減速機に係る変速比（第１変速比）が大きくなった場合、出力軸５の回転数に対して駆動輪７，７に伝達される回転数を上昇させ第２減速機に係る変速比（第２変速比）を小さくさせ、この擬似変速比を一定に維持する制御を行う。
【００３８】
次に、シフトポジションに応じた車両２０の動作および運転制御について説明する。この車両２０は、図示しないシフトレバーにより選択されるシフトポジションとして、駐車時に用いる駐車ポジションであるＰポジション、後進走行用のリバースポジションであるＲポジション、中立のニュートラルポジションであるＮポジション、通常の前進走行用のドライブポジションであるＤポジションを備えている。これらのシフトポジションに加えて、車速Ｖに対するエンジン回転数Ｎｅの比率（擬似変速比）を所定値に固定した複数の擬似的な変速段（擬似変速段）において走行する擬似有段変速モードを可能にするシーケンシャルシフトポジションであるＳポジションを備えている。よって、この発明に係る駆動制御装置を備えた車両２０は、オートマチックトランスミッションやＣＶＴをベースにした自動変速制御を行う車両であって、Ｓポジションが選択された際に、変速比を固定した有段変速のように制御する擬似有段変速モードが選択可能な車両、いわゆるシーケンシャルシフトマチックを備えたハイブリッド車両である。
【００３９】
その擬似変速段は擬似変速比を所定値に固定制御した変速段であり、それぞれ整数の段数をもった複数の擬似変速段を有する車両である。Ｓポジションであるシーケンシャルシフトポジションは、この複数の擬似変速段のうちいずれかの擬似変速段を選択可能にする制御を実施して走行させるものである。さらに、この車両２０は、Ｓポジションに加え、任意の擬似変速段をアップシフトさせるアップシフト指示ポジションと、ダウンシフトさせるダウンシフト指示ポジション等を備え、図示しないシフトレバーに基づく運転者の変速段選択操作を受け付けるものであってもよい。すなわち、エンジン回転数Ｎｅに制限回転数を設定することで、車速Ｖに対するエンジン回転数Ｎｅの比率が一定になるようにエンジン回転数Ｎｅを制御するものである。また、複数の擬似変速段ごとに予め変速比を設定しておき、その擬似変速段に対応する変速比と、取得された車速Ｖとに基づいてエンジン１の制限回転数を設定してもよい。言い換えれば、その取得された車速Ｖすなわち駆動輪７の回転数が同一であっても、その際の擬似変速段が異なる場合では、それらにおける変速比は異なり、それらの擬似変速段における制限回転数が異なるものである。
【００４０】
例えば、シフトポジションとしてＤポジションを選択すると、エンジン１が効率よく運転されるように運転制御される。これは、車両２０のアクセル開度に基づく駆動力特性が、Ｄポジション選択中にはＤポジション用の駆動力特性に制御されるためである。また、シフトポジションとしてＳポジションを選択すれば、擬似有段変速モードにより運転されるように運転制御される。より具体的には、運転者により図示しないシフトレバーのシフトポジションとしてＳポジションが選択されると、その際の車速Ｖなどに応じて擬似変速段中の何れかが初期段として設定される。さらに、Ｓポジション選択中にはＳポジション用の駆動力特性に制御される。Ｓポジションが選択された後、例えば後述する制限回転数の変更が実施された場合であっても、Ｓポジションにシフトレバーが選択されている限り、Ｓポジション用の駆動力特性に制御されるものである。
【００４１】
この擬似変速走行モードにおける初期段の設定後は、シフトレバーがアップシフト指示ポジションにセットされるごとに擬似変速段が１段ずつ上げられる。一方、シフトレバーがダウンシフト指示ポジションにセットされるごとに擬似変速段が１段ずつ下げられる。したがって、Ｓポジションを選択中において、車両２０の車速Ｖの増減など走行状態が変化した際であっても、すなわちアップシフト指示ポジションまたはダウンシフト指示ポジションのいずれかが選択されない限り、現在設定されている擬似変速段を維持したまま擬似有段変速モードにおける運転制御が継続される。
【００４２】
次に、エンジン１の制限回転数の一部解除処理について説明する。ここで説明する制限回転数の一部解除処理は、蓄電装置１０の電力状態に応じて行われるものであって、電力収支の破綻を回避するために、運転者要求パワーＰｒｅｑをエンジンパワーＰｅのみで満たせるように制限回転数に係る回転数上限値Ｎｅｍａｘを解除させるものである。より具体的には、その電力量Ｗｏｕｔが蓄電装置１０における制御下限値である第１閾値Ｗｏｕｔｔｈ１にまで減少した際に、制限回転数のうち回転数上限値Ｎｅｍａｘを解除させるものである。すなわち、制限回転数には回転数上限値Ｎｅｍａｘと回転数下限値Ｎｅｍｉｎとが含まれるものであって、そのうち回転数上限値Ｎｅｍａｘの制限のみを解除するため、制限回転数の一部解除となる。また、制御下限値とは、蓄電装置１０が電力を放電できる蓄電容量の下限値である。なお、その制御下限値は、制御上の下限値であって、蓄電装置１０の電力量下限値すなわち蓄電量ゼロよりも大きい値であってもよい。図２は、蓄電装置１０における出力可能電力量Ｗｏｕｔが制御下限値である第１閾値Ｗｏｕｔｔｈ１に達した際に、エンジン回転数Ｎｅの制限回転数のうち回転数上限値Ｎｅｍａｘを解除する処理フローを示した図である。ハイブリッドコントローラ１１は、運転者がアクセルペダル１４を踏み込んだことに対応するアクセル開度Ａｃｃと、その際の車両２０における車速Ｖとに基づいて、運転者が要求する駆動力を算出する。この運転者要求駆動力と、その車速Ｖとに基づいて、駆動要求量である運転者が要求するパワーＰｒｅｑを算出する（ステップＳ１０１）。
【００４３】
上記運転者が要求するパワーＰｒｅｑが算出されると、ハイブリッドコントローラ１１は、現在の走行モードが擬似有段変速モードであるか否かを判別する（ステップＳ１０２）。例えば、この走行モード判別は、図示しないシフトレバーがＳポジションを選択しているか否かにより判別される。また、車両２０の状態や走行状態などを示す各種の車両データを含む車両状態テーブルがＲＡＭなどの記憶部に記憶されており、この車両状態テーブルを参照し、走行モード項目が擬似有段変速モードを示すフラグであるか否かを判別し、走行モードを判別するものであってもよい。なお、この車両状態テーブルには、蓄電装置１０の充電率や充放電可能な電力量や充放電を管理する制御上下限値などの車両データが格納されていてもよい。
【００４４】
上記走行モード判別の結果、擬似有段変速モードでないと判別した場合（ステップＳ１０２でＮｏの場合）、上記算出した運転者要求パワーＰｒｅｑに基づき、予めＲＯＭなどの記憶部に記憶されているエンジン運転点設定用マップを参照し、このマップ上において運転者要求パワーＰｒｅｑを満たし、かつ最適燃費線Ｃｆなどの動作ライン上を動作するエンジン回転数ＮｅとエンジントルクＴｅとを算出し（ステップＳ１０７）、エンジン回転数Ｎｅの回転数上限値Ｎｅｍａｘを解除せずにこの処理フローを終了する。なお、エンジン運転点設定用マップとは、図７に例示するようなエンジン回転数ＮｅとエンジントルクＴｅと等出力線と最適燃費線Ｃｆで示される動作ラインとの関係を予め定めたものである。また、このエンジン運転点設定用マップにおける運転者要求パワーＰｒｅｑは、いずれかの等出力線により示されるものである。
【００４５】
一方、上記走行モード判別の結果、擬似有段変速モードであると判別された場合（ステップＳ１０２でＹｅｓの場合）、記憶部に記憶された車両データを参照し、蓄電装置１０の出力可能な電力量Ｗｏｕｔと、エンジン１の上昇側の制限回転数である回転数上限値Ｎｅｍａｘおよび下降側の制限回転数である回転数下限値Ｎｅｍｉｎとを読み出す（ステップＳ１０３，Ｓ１０４）。なお、これら出力可能電力量Ｗｏｕｔやエンジン１の回転数上限値Ｎｅｍａｘおよび回転数下限値Ｎｅｍｉｎは、ほかの車両データとともに車両状態テーブルに格納されており、もしくはこれ以外のテーブルに格納され記憶部に記憶されているものであってもよい。また、蓄電装置１０のＳＯＣや充放電を管理する制御上下限値に基づき、その際の出力可能な電力量Ｗｏｕｔを算出するものであってもよい。
【００４６】
上記出力可能電力量Ｗｏｕｔが読み込まれると、この出力可能電力量Ｗｏｕｔが、第１閾値Ｗｏｕｔｔｈ１よりも小さいか否かを判別する（ステップＳ１０５）。この第１閾値Ｗｏｕｔｔｈ１は、蓄電装置１０から出力が可能な電力を維持できるように設定されるものであって、例えば電力量下限値より大きい値に設定される。
【００４７】
上記電力量判別の結果、出力可能電力量Ｗｏｕｔが第１閾値Ｗｏｕｔｔｈ１以上の場合（ステップＳ１０５でＮｏの場合）、上記算出した運転者要求パワーＰｒｅｑに基づき、エンジン運転点設定用マップを参照し、このマップ上において運転者要求パワーＰｒｅｑを満たし、かつ最適燃費線Ｃｆなどの動作ライン上を動作するエンジン回転数ＮｅとエンジントルクＴｅとを算出し（ステップＳ１０７）、エンジン回転数Ｎｅの回転数上限値Ｎｅｍａｘを解除せずにこの処理フローを終了する。なお、算出されるエンジン回転数Ｎｅは、制限回転数の範囲内、すなわち回転数上限値Ｎｅｍａｘと回転数下限値Ｎｅｍｉｎとの範囲内に含まれる回転数である。
【００４８】
一方、上記電力量判別の結果、出力可能電力量Ｗｏｕｔが第１閾値Ｗｏｕｔｔｈ１よりも小さいと判別された場合（ステップＳ１０５でＹｅｓの場合）、エンジン回転数Ｎｅの上昇側の制限回転数である回転数上限値Ｎｅｍａｘを解除する（ステップＳ１０６）。なお、この解除処理は、制限回転数のうち上昇側の制限値である回転数上限値Ｎｅｍａｘのみを解除するものであって、回転数下限値Ｎｅｍｉｎが高低回転のどちらかに変更されたり解除されない。この回転数下限値Ｎｅｍｉｎを変更または解除しないことによって、車両２０の加速レスポンスの低下を防止させることができる。また、回転数下限値Ｎｅｍｉｎは、この回転数上限値Ｎｅｍａｘの解除処理前におけるエンジン１の制限回転数を推移するものであってもよい。
【００４９】
上記回転数上限値Ｎｅｍａｘを解除した後、ハイブリッドコントローラ１１は、予めＲＯＭなどの記憶部に記憶されているエンジン運転点設定用マップを参照し、この上限値Ｎｅｍａｘを解除したエンジン１の制限回転数と上記算出した運転者要求パワーＰｒｅｑとに基づき、このマップ上において運転者要求パワーＰｒｅｑを満たし、かつ最適燃費線Ｃｆなどの動作ライン上を動作するエンジン回転数Ｎｅとエンジン出力トルクＴｅとを算出し（ステップＳ１０７）、この処理フローを終了する。また、その運転点の決定処理は、エンジン１の出力トルクＴｅと回転数Ｎｅとで決定されるものであって、所定の等出力線上の運転点のうち、燃費性能が良い運転点に設定することもできる。
【００５０】
その擬似有段変速モードの走行状態では、車速に対するエンジン回転数の比率が一定となるようにエンジン回転数Ｎｅが制御される。その制御状態において、運転者による加速要求による車速Ｖの増加に応じて、エンジン１の回転数Ｎｅは擬似変速比を満たすように増加する。現在設定されているエンジン１の制限回転数において出力可能なエンジンパワーＰｅにより、運転者要求パワーＰｒｅｑを満たすことができる状態では、蓄電装置１０の放電パワーＰｂａｔｏｕｔは使用されない。したがって、蓄電装置２０の電力は消費されず、出力可能電力量Ｗｏｕｔが減少しない。しかし、運転者要求パワーＰｒｅｑの増加に伴い、現在の制限回転数の範囲内において出力が可能なエンジンパワーＰｅだけでは、この運転者要求パワーＰｒｅｑを満たさなくなった場合、蓄電装置１０からの持ち出しパワーである放電パワーＰｂａｔｏｕｔを使用する。したがて、蓄電装置１０に充電されている電力が消費され、出力可能電力量Ｗｏｕｔが減少する。すなわち、エンジン回転数Ｎｅは回転数制限の制御を受けるために、エンジンパワーＰｅが制限され、運転者要求パワーＰｒｅｑを満たすために蓄電装置１０から出力される放電パワーＰｂａｔｏｕｔを使用する。この放電パワーＰｂａｔｏｕｔの出力に伴い蓄電装置１０の電力が消費され、出力可能電力量Ｗｏｕｔが減少する。
【００５１】
その制御状態では、モータ・ジェネレータ２，３はいずれもモータとして機能し電力収支がマイナスに作用するため、蓄電装置１０の出力可能電力量Ｗｏｕｔが減少し続ける。言い換えれば、蓄電装置１０の電力が消費されるものの、エンジン１が出力する動力（エンジンパワー）Ｐｅと蓄電装置１０が出力する電力（放電パワー）Ｐｂａｔｏｕｔとの和により運転者要求パワーＰｒｅｑが満たされる。しかし、運転者要求パワーＰｒｅｑに対する不足分のパワーを蓄電装置１０からの放電パワーＰｂａｔｏｕｔで補うために、この蓄電装置１０から出力可能な電力が減少し、電力収支がマイナスに作用し続ける。
【００５２】
そこで電力収支の破綻を回避するため、図３に例示するように、蓄電装置１０と出力可能電力量Ｗｏｕｔが第１閾値Ｗｏｕｔｔｈ１に達した場合に、エンジン１の回転数上限値Ｎｅｍａｘを解除する。この解除後の回転数上限値Ｎｅｍａｘは、エンジンパワーＰｅと蓄電装置１０から持ち出した放電パワーＰｂａｔｏｕｔとの和が運転者要求パワーＰｒｅｑを満たし、かつ電力収支をゼロもしくは蓄電装置１０に充電できる制御状態となるようなエンジン回転数Ｎｅである。また、エンジン１の回転数上限値Ｎｅｍａｘを解除した後であっても、車両２０のアクセル開度Ａｃｃに基づく駆動力特性は、Ｓポジション用の駆動力特性に制御され、Ｄポジション用の駆動力特性とは異なるように制御される。
【００５３】
さらに、擬似有段変速モードが選択されているときに、第１閾値Ｗｏｕｔｔｈ１に基づきエンジン１の制限回転数のうち回転数上限値Ｎｅｍａｘが解除された場合、その回転数上限値Ｎｅｍａｘを解除後の制御によって、蓄電装置１０の充電状態が回復したとしても、一度第１閾値Ｗｏｕｔｔｈ１に基づき実行された回転数上限値Ｎｅｍａｘの解除状態は維持され、エンジン１の回転数Ｎｅが制御され続ける。すなわち、擬似有段変速モードの選択中に蓄電装置１０の出力可能電力量Ｗｏｕｔが第１閾値Ｗｏｕｔｔｈ１に達して回転数上限値Ｎｅｍａｘが一度解除されると、その擬似有段変速モードが解除されるまで、その回転数上限値Ｎｅｍａｘを解除させた制御状態は維持される。例えば、車両２０の電力状態などに応じて、回転数上限値Ｎｅｍａｘが解除された状態から、その解除前の制御状態へと自動で変更されない。なお、回復した出力可能電力量Ｗｏｕｔが再度第１閾値Ｗｏｕｔｔｈ１に達したとしても回転数上限値Ｎｅｍａｘは再解除されない制御であってもよい。さらに、擬似変速段を変速された場合や、ＳポジションからＤポジションなどにシフトポジションが変更された場合には、その回転数上限値Ｎｅｍａｘを変更できるものとしてもよい。
【００５４】
次に、運転者要求パワーＰｒｅｑを満たしつつ、蓄電装置１０の出力可能電力量Ｗｏｕｔの急激な減少を防止させるように、エンジン１の制限回転数を変更させる処理について説明する。ここで説明する制限回転数の変更処理は、蓄電装置１０で出力可能な電力量Ｗｏｕｔの減少する状態に応じて、エンジン１の制限回転数に係る回転数上限値Ｎｅｍａｘを高回転数側に徐々にもしくは連続的に変更させる処理である。具体的には、運転者要求パワーＰｒｅｑを満たすために蓄電装置１０からの放電パワーＰｂａｔｏｕｔを使用する必要が生じた場合であって、その蓄電装置１０で出力可能な電力量Ｗｏｕｔが減少し始めた際もしくはその電力量Ｗｏｕｔがある程度減少した際、その出力可能電力量Ｗｏｕｔの減少する状態に応じて、制限回転数を高回転数側に変更させる処理である。図４は、蓄電装置１０で出力可能な電力量Ｗｏｕｔの減少する状態に応じて、エンジン１の制限回転数を高回転数側に徐々にもしくは連続的に変更させる処理フロー図である。なお、上述の出力可能電力量Ｗｏｕｔが第１閾値Ｗｏｕｔｔｈ１に達した場合の処理と同様の処理内容については詳細な説明を省略する。
【００５５】
ハイブリッドコントローラ１１は、運転者がアクセルペダル１４を踏み込んだことに対応するアクセル開度Ａｃｃと、その際の車両２０における車速Ｖとに基づいて、運転者が要求する駆動力を算出する。この運転者要求駆動力と、その際の車速Ｖとに基づいて、駆動要求量である運転者が要求するパワーＰｒｅｑを算出する（ステップＳ２０１）。この運転者要求パワーＰｒｅｑが算出されると、ハイブリッドコントローラ１１は、現在の走行モードが擬似有段変速モードであるか否かを判別する（ステップＳ２０２）。
【００５６】
上記走行モード判別の結果、擬似有段変速モードでないと判別した場合（ステップＳ２０２でＮｏの場合）、上記算出した運転者要求パワーＰｒｅｑに基づき、予めＲＯＭなどの記憶部に記憶されているエンジン運転点設定用マップを参照し、このマップ上において運転者要求パワーＰｒｅｑを満たし、かつ最適燃費線Ｃｆなどの動作ライン上を動作するエンジン回転数Ｎｅとエンジン出力トルクＴｅとを算出し（ステップＳ２０８）、エンジン回転数の制限回転数を変更せずにこの処理フローを終了する。
【００５７】
一方、上記走行モード判別の結果、擬似有段変速モードであると判別された場合（ステップＳ２０２でＹｅｓの場合）、記憶部に記憶された車両データを参照し、エンジン１の回転数上下限値Ｎｅｍａｘ，Ｎｅｍｉｎを読み出す（ステップＳ２０３）。この制御上下限値である回転数上下限値Ｎｅｍａｘ，Ｎｅｍｉｎの範囲内にエンジン回転数Ｎｅが推移するものである。例えば、図７に例示するようなエンジン運転点設定用マップを参照し、その範囲内におけるエンジン回転数Ｎｅに基づき、エンジン１が出力可能なエンジンパワーＰｅを算出する。より具体的には、エンジン運転点設定用マップを参照し、制限回転数の上下限値Ｎｅｍａｘ，Ｎｅｍｉｎ内におけるエンジン回転数Ｎｅで最適燃費線Ｃｆ上を動作可能となるライン上において、この最適燃費線Ｃｆと交差するエンジンパワーＰｅを示す等出力線に基づき出力できる範囲が、エンジンパワーＰｅの出力範囲となる。したがって、エンジン運転点参照マップに基づき、現在の制限回転数内における出力可能なエンジンパワーＰｅが算出される。
【００５８】
上記算出した出力可能なエンジンパワーＰｅと、上記算出した運転者要求パワーＰｒｅｑとを比較し、このエンジンパワーＰｅで運転者要求パワーＰｒｅｑを満たすことができるか否かを判別する（ステップＳ２０４）。なお、運転者要求パワーＰｒｅｑをエンジンパワーＰｅのみで満たせなくなったか否かを判別するものであればよく、例えば蓄電装置１０の出力可能電力量Ｗｏｕｔが減少し始めたか否かを判別するものであってもよい。
【００５９】
上記パワー判別の結果、そのエンジンパワーＰｅで運転者要求パワーＰｒｅｑを満たす、すなわちエンジンパワーＰｅが運転者要求パワーＰｒｅｑ以上であると判別された場合（ステップＳ２０４でＮｏの場合）、上記算出した運転者要求パワーＰｒｅｑに基づき、エンジン運転点設定用マップを参照し、このマップ上において運転者要求パワーＰｒｅｑを満たし、かつ最適燃費線Ｃｆなどの動作ライン上を動作するエンジン回転数Ｎｅとエンジン出力トルクＴｅとを算出し（ステップＳ２０８）、エンジン回転数の制限回転数を変更せずにこの処理フローを終了する。
【００６０】
一方、上記パワー判別の結果、そのエンジンパワーＰｅだけでは運転者要求パワーＰｒｅｑを満たすことができない、すなわちエンジンパワーＰｅが運転者要求パワーＰｒｅｑよりも小さいと判別された場合（ステップＳ２０４でＹｅｓの場合）、記憶部に記憶された車両データを参照し、蓄電装置１０の出力可能な電力量Ｗｏｕｔを読み出す（ステップＳ２０５）。なお、この車両データとして格納されている出力可能電力量Ｗｏｕｔは、ハイブリッドコントローラ１１により随時算出されてデータの書き換えが行われているものであってもよい。
【００６１】
上記蓄電装置１０が出力可能な電力量Ｗｏｕｔが読み出されると、この出力可能電力量Ｗｏｕｔに基づき、この出力可能電力量Ｗｏｕｔが第２閾値Ｗｏｕｔｔｈ２よりも小さいか否かを判別する（ステップＳ２０６）。この第２閾値Ｗｏｕｔｔｈ２は、この発明における電力量閾値に相当するものであって、上述した第１閾値Ｗｏｕｔｔｈ１よりも大きな値である。なお、この判別処理では、出力可能電力量Ｗｏｕｔと第２閾値Ｗｏｕｔｔｈ２による比較を行ったが、この発明はそれに限定されない。例えば、出力可能電力量Ｗｏｕｔから第１閾値Ｗｏｕｔｔｈ１を減じた差分を算出し、この差分が所定値ΔＷより小さいか否かに基づいて判別するものであってもよい。この所定値ΔＷは、この発明における差分閾値に相当するものである。例えば、所定値ΔＷ＞０に設定した場合、蓄電装置１０の制御下限値である第１閾値Ｗｏｕｔｔｈ１にまで出力可能電力量Ｗｏｕｔが減少する前に、回転数上限値Ｎｅｍａｘを高回転数側に変更させることになる。すなわち、差分閾値による判別は、制御下限値である第１閾値Ｗｏｕｔｔｈ１よりも大きな値である第２閾値Ｗｏｕｔｔｈ２と出力可能電力量Ｗｏｕｔとの比較判別を行ったこととも言える。したがって、出力可能電力量Ｗｏｕｔが制御下限値である第１閾値Ｗｏｕｔｔｈ１より小さくなる前であって、所定の電力量に減少していることが判別されればよい。
【００６２】
上記電力量判別の結果、出力可能電力量Ｗｏｕｔが第２閾値Ｗｏｕｔｔｈ２以上の場合（ステップＳ２０６でＮｏの場合）、上記算出した運転者要求パワーＰｒｅｑに基づき、エンジン運転点設定用マップを参照し、このマップ上において運転者要求パワーＰｒｅｑを満たし、かつ最適燃費線Ｃｆなどの動作ライン上を動作するエンジン回転数ＮｅとエンジントルクＴｅとを算出し（ステップＳ２０８）、エンジン回転数の制限回転数を変更せずにこの処理フローを終了する。
【００６３】
一方、上記電力量判別の結果、出力可能電力量Ｗｏｕｔが第２閾値Ｗｏｕｔｔｈ２よりも小さいと判別された場合（ステップＳ２０６でＹｅｓの場合）、エンジン回転数Ｎｅの上昇側の制限回転数である回転数上限値Ｎｅｍａｘを算出し高回転数側に変更する（ステップＳ２０７）。この制限回転数の変更処理は、制限回転数のうち回転数上限値Ｎｅｍａｘのみを高回転数側に変更させる一部変更処理であり、出力可能電力量Ｗｏｕｔの減少する状態に応じて変更後の回転数上限値Ｎｅｍａｘが算出させるものである。したがって、出力可能電力量Ｗｏｕｔが減少し続けた場合、その減少する状態に応じて回転数上限値Ｎｅｍａｘは算出されかつ変更される。すなわち、車両２０の電力状態や蓄電装置１０の充電状態に応じて、エンジン回転数Ｎｅの上昇側の制限値である回転数上限値Ｎｅｍａｘを連続的に高回転数側へ変更させる制御である。なお、出力可能電力量Ｗｏｕｔが第１閾値Ｗｏｕｔｔｈ１に近づくに伴い、算出変更後の回転数上限値Ｎｅｍａｘはより高回転数側の回転数への変更されることになる。言い換えれば、出力可能電力量Ｗｏｕｔから第１閾値Ｗｏｕｔｔｈ１を減じた差分が減少するにつれて、回転数上限値Ｎｅｍａｘの変更量が増加することになる。
【００６４】
その回転数上限値Ｎｅｍａｘの変更状態について、図５を参照して説明する。図５は、アクセル開度Ａｃｃと車速Ｖとエンジン回転数Ｎｅと出力可能電力量Ｗｏｕｔとの関係図である。現在設定されているエンジン１の制限回転数において出力可能なエンジンパワーＰｅにより運転者要求パワーＰｒｅｑを満たすことができる状態では、出力可能電力量Ｗｏｕｔが減少しないが、出力可能なエンジンパワーＰｅのみでは運転者要求パワーＰｒｅｑを満たせなくなった場合に、出力可能電力量Ｗｏｕｔが減少する。
【００６５】
その運転者要求パワーＰｒｅｑが現在の制限回転数内で出力可能なエンジンパワーＰｅを越えたとき、不足する分のパワーすなわち蓄電装置１０から出力される放電パワーＰｂａｔｏｕｔに対応して、出力可能電力量Ｗｏｕｔが減少する。また、図５の出力可能電力量Ｗｏｕｔの関係図を例示するタイムチャートにおいて、実際の出力可能電力量Ｗｏｕｔが減少する状態は実線で示し、回転数上限値Ｎｅｍａｘを変更せずに固定したままの蓄電装置１０の出力可能電力量Ｗｏｕｔが減少し続ける推移は一点鎖線で示す。さらに、制限回転数内におけるエンジンパワーＰｅが運転者要求パワーＰｒｅｑよりも大きい場合、蓄電装置１０から放電されず電力量は減少しない。したがって、制限回転数が変更されない場合の出力可能電力量Ｗｏｕｔが減少する状態に比べ、回転数上限値Ｎｅｍａｘを高回転数側に変更させた場合の出力可能電力量Ｗｏｕｔが減少する状態は、電力量が緩やかに減少する。
【００６６】
その出力可能電力量Ｗｏｕｔが減少する状態に基づき、エンジン１の制限回転数のうち回転数上限値Ｎｅｍａｘを、出力可能電力量Ｗｏｕｔが減少する状態に応じて、徐々に高回転数側に変更させる。言い換えれば、この制限回転数の再計算および再設定を連続的に行い、エンジン回転数Ｎｅの上昇側の制限値Ｎｅｍａｘを徐々に高回転数側に変化させる。なお、制限回転数のうち下降側の制限値である回転数下限値Ｎｅｍｉｎは変更させないものとする。また、図示しないが、蓄電装置１０が放電し始めた際、すなわち蓄電装置１０の出力可能電力量Ｗｏｕｔが減少し始めた際に、回転数上限値Ｎｅｍａｘを高回転数側に変更させ、その出力可能電力量Ｗｏｕｔが減少する状態に応じて、回転数上限値Ｎｅｍａｘを徐々に高回転数側に変更させるものであってもよい。
【００６７】
ここで処理フォローの説明に戻り、上記ステップＳ２０７においてエンジン１の回転数上限値Ｎｅｍａｘが変更された後、ハイブリッドコントローラ１１は、エンジン運転点設定用マップを参照し、この変更したエンジン１の制限回転数と上記算出した運転者要求パワーＰｒｅｑとに基づき、このマップ上において運転者要求パワーＰｒｅｑを満たし、かつ最適燃費線などの動作ライン上を動作するエンジン回転数Ｎｅとエンジン出力トルクＴｅとを算出し（ステップＳ２０８）、この処理フローを終了する。
【００６８】
なお、図４などを参照して上述した出力可能電力Ｗｏｕｔが第１閾値Ｗｏｕｔｔｈ１に達する前に回転数上限値Ｎｅｍａｘを連続的に変更する制御（第１変更制御）は、出力可能電力量Ｗｏｕｔが第１閾値Ｗｏｕｔｔｈ１にある程度近づいた際に処理が開始させる制御である。さらに、その図２などを参照して上述した出力可能電力Ｗｏｕｔが第１閾値Ｗｏｕｔｔｈ１に達した際に回転数上限値Ｎｅｍａｘを高回転数側の所定の回転数に変更する制御（第２変更制御）に先だって上記第１変更制御を実行し、その第１変更制御から連続して第２変更制御を開始するものであってもよい。これにより、第２変更制御の実行に伴う回転数上限値Ｎｅｍａｘの変更量は、第１変更制御から連続しなかった場合に比べて相対的に減少され、急激なエンジン回転数Ｎｅの変更を防止できる。
【００６９】
さらに、擬似有段変速モードが選択されているときに、出力可能電力量Ｗｏｕｔと第１閾値Ｗｏｕｔｔｈ１との差分に基づき、または出力可能電力量Ｗｏｕｔと第２閾値Ｗｏｕｔｔｈ２との比較判別により、エンジン１の制限回転数のうち回転数上限値Ｎｅｍａｘが高回転数側に変更された場合、一度実行された回転数上限値Ｎｅｍａｘの変更状態は維持され、エンジン１の回転数Ｎｅが制御され続ける。すなわち、擬似有段変速モードの選択中に蓄電装置１０の出力可能電力量Ｗｏｕｔが第２閾値Ｗｏｕｔｔｈ２に達して回転数上限値Ｎｅｍａｘが一度高回転数側に変更されると、その擬似有段変速モードが解除されるまで、その回転数上限値Ｎｅｍａｘを高回転数側に変更させた制御状態は維持される。例えば、車両２０の電力状態などに応じて、回転数上限値Ｎｅｍａｘが高回転数側に変更された状態から、その変更前の制御状態へと自動で変更されない。なお、図５には出力可能電力量Ｗｏｕｔが減少し続ける場合を例示したが、仮に蓄電装置１０の電力量が増加し、その回復した出力可能電力量Ｗｏｕｔが再度第２閾値Ｗｏｕｔｔｈ２に達したとしても回転数上限値Ｎｅｍａｘは高回転数側に再変更されない制御であってもよい。さらに、擬似変速段を変速された場合や、ＳポジションからＤポジションなどにシフトポジションが変更された場合には、その回転数上限値Ｎｅｍａｘを変更できるものとしてもよい。
【００７０】
以上説明してきた通り、この発明に係るハイブリッド車両の駆動制御装置によれば、ハイブリッド車両の電力状態や蓄電装置１０の充電状態に応じて、エンジン１に係る回転数上限値Ｎｅｍａｘを高回転数側の回転数に変更することができる。
【００７１】
エンジン回転数制限の制御中、すなわち擬似有段変速モードで走行中には、エンジン１の制限回転数の変更前後に拘わらず、エンジン回転数Ｎｅと、エンジン出力トルクＴｅと、ドライバーの要求するパワーＰｒｅｑと、蓄電装置１０からの持ち出しパワーＰｂａｔｏｕｔと、等出力線であるエンジンパワーＰｅと、エンジン１における最適燃費線Ｃｆとの関係から、このエンジン回転数Ｎｅおよびエンジン出力トルクＴｅは最適燃費線Ｃｆ上を動作する制御が可能である。
【００７２】
また、エンジン１の回転数上限値Ｎｅｍａｘの変更処理を、車両２０が出力可能な電力量Ｗｏｕｔの制限値である各閾値に基づいて実施させることができる。
【００７３】
擬似有段変速モードが継続中に、第１閾値Ｗｏｕｔｔｈ１に出力可能電力量Ｗｏｕｔが達した際にエンジン１の回転数上限値Ｎｅｍａｘが一度変更された場合、何度も制限回転数されないので、運転者への違和感を軽減させることができる。
【００７４】
また、エンジン１の制限回転数を変更した後であっても、車両２０のアクセル開度Ａｃｃに基づく駆動力特性は、Ｓレンジの設定を用いることとし、Ｄレンジと異なる設定を用いることができる。
【００７５】
なお、この発明に係るハイブリッド車両の駆動制御装置は、上述してきた実施形態に限定されるものではなく、この発明の目的を逸脱しない範囲内において適宜変更が可能である。
【００７６】
例えば、ハイブリッドコントローラ１１はモータ用電子制御装置およびバッテリ用電子制御装置として機能することを説明したが、この発明はこれに限定されず、ハイブリッドコントローラ１１とは別にモータ用電子制御装置とバッテリ用電子制御装置とを備えているものであってもよい。具体的には、ハイブリッドコントローラ１１は図示しないモータ用電子制御装置およびバッテリ用電子制御装置と各種信号の入出力可能に電気的接続され、モータ用電子制御装置およびバッテリ用電子制御装置は、ハイブリッドコントローラ１１からの制御を受け、第１モータ・ジェネレータ２と第２モータ・ジェネレータ３とを駆動制御し、蓄電装置１０およびインバータ８，９を制御するものであってもよい。
【００７７】
また、上述の実施形態において、ハイブリッドコントローラ１１が蓄電装置１０の出力可能電力量Ｗｏｕｔに基づき放充電を管理することを説明したが、この発明はそれに限定されず、出力可能電力量Ｗｏｕｔに代わりＳＯＣに基づき放充電を管理するものでもよい。例えば、ハイブリッドコントローラ１１は、電流センサから入力された充放電電流の積算値に基づいて、蓄電装置１０の充電率を示すＳＯＣを算出する。このＳＯＣに基づき蓄電装置１０の充放電を管理する。ＳＯＣが制御上限値の付近の場合、すなわち蓄電装置１０が満充電もしくはそれに近い状態の場合、モータ・ジェネレータ２，３で発電した電力は蓄電装置１０に充電されない。また、蓄電装置１０のＳＯＣが制御下限値よりも低下した場合、モータ・ジェネレータ２，３に蓄電装置１０からの電力は供給されない。したがって、蓄電装置１０の適切なＳＯＣを維持するために、エンジン１の運転点（動作点）のうち主にエンジン回転数Ｎｅを制御して、電力収支の破綻を回避させる制御であってもよい。
【００７８】
また、上述の電力量判別は、出力可能電力量Ｗｏｕｔが第１閾値Ｗｏｕｔｔｈ１以下であるか否かにより判別してもよい。これは蓄電装置１０の完全放電状態を示す充電率０％を第１閾値Ｗｏｕｔｔｈ１と設定することが可能であり、このとき第１閾値Ｗｏｕｔｔｈ１は電力量下限値と等しくなりゼロに設定されるためである。すなわち、出力可能電力量Ｗｏｕｔが電力量下限値を下回らなければよいものであって、その第１閾値Ｗｏｕｔｔｈ１が電力量下限値と等しい値であってもよい。
【００７９】
さらに、制限回転数の変更処理は、上述したように別々に処理が実行させる場合に限定されず、連続して処理が実行させるものであってもよい。例えば、蓄電装置１０の出力可能電力量Ｗｏｕｔが減少し始めてから、その電力量Ｗｏｕｔの減少する状態に応じて、回転数上限値Ｎｅｍａｘを徐々に高回転数側に変更させつつ、電力量Ｗｏｕｔが第１閾値Ｗｏｕｔｔｈ１に達した際には、運転者要求パワーＰｒｅｑをエンジンパワーＰｅのみで満たすように回転数上限値Ｎｅｍａｘを解除させるものであってもよい。その際、運転者要求パワーＰｒｅｑを満たすためには、それまでに徐々に上昇させてきた回転数上限値Ｎｅｍａｘを更に解除させるものであったもよい。
【００８０】
また、上述した出力可能電力量Ｗｏｕｔが緩やかに減少するようにエンジン１の制限回転数を変更する処理において、ステップＳ２０４における運転者要求パワーＰｒｅｑとエンジンパワーＰｅとの比較判別処理の後に、ステップＳ２０６における蓄電装置１０の出力可能電力量Ｗｏｕｔと第２閾値Ｗｏｕｔｔｈ２との比較判別処理の結果に基づいて、ステップＳ２０７における回転数上限値Ｎｅｍａｘを高回転数側に変更させる処理について説明したが、これに限定されない。例えば、ステップＳ２０４における運転者要求パワーＰｒｅｑとエンジンパワーＰｅとの比較判別処理の後に、ステップＳ２０６における蓄電装置１０の出力可能電力量Ｗｏｕｔと第２閾値Ｗｏｕｔｔｈ２との比較判別処理は行わずに、ステップＳ２０４でＹｅｓの場合にステップＳ２０７における回転数上限値Ｎｅｍａｘを高回転数側に変更させる処理を行うものであってもよい。これによれば、蓄電装置１０の出力可能電力量Ｗｏｕｔが減少し始めたときから、回転数上限値Ｎｅｍａｘの変更を実施することができる。
【００８１】
さらに、この発明に係る制限回転数の変更状態には、蓄電装置１０の出力可能電力量Ｗｏｕｔが第１閾値Ｗｏｕｔｔｈ１に達する前における制限回転数のうち回転数上限値Ｎｅｍａｘを高回転数側に変更させた状態が含まれることに加え、その出力可能電力量Ｗｏｕｔが第１閾値Ｗｏｕｔｔｈ１に達した際に制限回転数のうち回転数上限値Ｎｅｍａｘを解除させた状態が含まれてもよい。
【００８２】
また、上述の実施形態では擬似有段変速モードを、マニュアルトランスミッションのようにシフトレバーによる選択操作に応じてシーケンシャルシフトポジションを選択する場合について説明したが、この発明はこれに限定されるものではない。例えば、車両２０の運転席近傍に設置された操作パネルや操作ボタンなどにより擬似有段変速モードが選択されるものであってもよい。また、擬似有段変速モード中における変速動作もマニュアルトランスミッションのような変速操作に基づくものでなく、オートマチックトランスミッションなどのように自動変速するものであってもよい。
【符号の説明】
【００８３】
１…エンジン（Ｅ／Ｇ）、  ２…第１モータ・ジェネレータ（ＭＧ１）、  ３…第２モータ・ジェネレータ（ＭＧ２）、  ４…動力分割機構、  ５…出力軸、  ６…デファレンシャル、  ７…駆動輪、  ８，９…インバータ、  １０…蓄電装置、  １１…ハイブリッドコントローラ、  １２…電子スロットルバルブ、  １３…車輪速センサ、  １４…アクセルペダル、  １５…アクセル開度センサ。
【図１】
2013103577.tif 000003
【図２】
2013103577.tif 000004
【図３】
2013103577.tif 000005
【図４】
2013103577.tif 000006
【図５】
2013103577.tif 000007
【図６】
2013103577.tif 000008
【図７】
2013103577.tif 000009